(57)【要約】【課題】便器を確実に床面に固定することができる便器の床固定構造及び固定装置を提供する。【解決手段】台座部２の前部は、固定装置１６によって床面Ｆ上に固定されている。固定装置１６は、台座部２の前部に設けられたフック係合部材２６に係合するフック部材１８と、該フック部材１８のフック係合部材２６への接近移動を案内する案内部材２０と、該フック部材１８のフック係合部材２６からの退動を阻止する退動阻止機構２２と、該フック部材１８をフック係合部材２６に向って引張るための引張部材２４とを備えている。床面Ｆに固定装置１６を取り付け、台座部２を床面Ｆ上に載置した後、引張部材２４を引張ってフック部材１８をフック係合部材２６に係合させる。【選択図】図６
2005036561.tif 000002
【特許請求の範囲】
【請求項１】
台座部を有する便器が床面上に載置され、該床面に対し固定手段によって固定された便器の床固定構造において、
該固定手段は、該床面に沿って移動可能なフック部材と、
該台座部に設けられたフック係合部と、
該フック係合部に係合した該フック部材の退動を阻止する退動阻止手段と、
を有することを特徴とする便器の床固定構造。
【請求項２】
請求項１において、前記床面に前記フック部材の移動を案内する案内部材が取り付けられており、
前記退動阻止手段は、前記フック部材の該案内部材に沿う退動を阻止するものであることを特徴とする便器の床固定構造。
【請求項３】
請求項２において、該退動阻止手段は、
該案内部材に該フック部材の移動方向に延設された鋸歯状部と、
該フック部材に設けられた、該鋸歯状部に噛合する噛合体と、
を有することを特徴とする便器の床固定構造。
【請求項４】
便器を床面に固定するための固定装置において、
便器の台座部に設けられたフック係合部に対し係合するフック部材と、
該床面に取り付けられ、該フック部材のフック係合部への接近移動を案内する案内部材と、
該フック部材が該案内部材に沿って該フック係合部から離反することを阻止するための退動阻止手段と、
該フック部材に連なっており、引張力が加えられることにより該フック部材を該案内部材に沿って移動させてフック係合部に係合させ、且つ所定以上の引張力が加えられると断裂するか又は該フック部材から分離する引張部材と、
を備えてなることを特徴とする便器固定装置。
【請求項５】
請求項４において、該引張部材はシート片よりなることを特徴とする固定装置。
【請求項６】
台座部を有する便器が床面上に載置され、該床面に対し固定手段によって固定された便器の床固定構造において、
該固定手段は、
該台座部に設けられたフック係合部と、
該床面に対し回動可能に取り付けられ、該フック係合部に対し係合したフック部材と、
を備えてなり、該フック部材は磁性材料よりなり、台座部の外側から加えられた磁力によって該フック係合部に係合するように回動可能であることを特徴とする便器の床固定構造。
【請求項７】
台座部を有する便器が床面上に載置され、該床面に対し固定手段によって固定された便器の床固定構造において、
該固定手段は、
該台座部に設けられたフック係合部と、
該フック係合部に係合したフック部材と、
先端側が該フック部材に接続され、後端側が巻取手段に巻き取られた線状体と、
該床面に固定されており、該線状体の途中部分が挿通された線状体挿通部材と、
を備えてなることを特徴とする便器の床固定構造。
【請求項８】
請求項７において、該巻取手段は、便器後方に設置されたウィンチであることを特徴とする便器の床固定構造。
【請求項９】
請求項７において、該巻取手段は、該便器の後部を床面に固定するためのビスであり、該ビスに該線状体の後端側が巻き付けられていることを特徴とする便器の床固定構造。
【発明の詳細な説明】
【技術分野】
【０００１】
本発明は便器を床面に固定した構造に係り、特に洋風便器の前部を床面に固定する場合に好適な構造に関するものである。
【背景技術】
【０００２】
洋風便器を床面に固定するにはビス留めが簡便且つ強固であり、好適である。ただし、この場合、ビスが露見すると見栄えが悪いので、トイレ使用者から視認され易い洋風便器前部についてはビス以外の固定手段が望まれている。
【０００３】
実開平５−１０５８７号公報には、床面にビス留めしたハネ上げ片を洋風便器台座部内壁面に設けたスリットに係合させて洋風便器前部を床面に固定する構造が記載されている。
【０００４】
実開平７−２０３７７号公報には、床面にゴム製固定具をビス留めしておき、このゴム製固定具を洋風便器台座部の内面の水平突片に係合させて洋風便器前部を床面に固定した構造が記載されている。
【０００５】
【特許文献１】実開平５−１０５８７号公報
【特許文献２】実開平７−２０３７７号公報
【発明の開示】
【発明が解決しようとする課題】
【０００６】
上記従来のハネ上げ片及びゴム製固定具は、それぞれ洋風便器台座部のスリットや突片に正しく係合するならば、洋風便器前部を固定することができる。しかしながら、洋風便器は陶器（焼き物）製であるため、寸法精度のバラツキが大きい。（因みに、ＪＩＳ  Ａ５２０７では、洋風便器の寸法誤差を±５％以下と規定している。）この寸法のバラツキにより、ハネ上げ片やゴム製固定具の係止が甘くなり、洋風便器前部の固定が緩くなるおそれがある。
【０００７】
本発明は、便器を確実に床面に固定することができる便器の床固定構造及び固定装置を提供することを目的とする。
【課題を解決するための手段】
【０００８】
本発明（請求項１）の便器の床固定構造は、台座部を有する便器が床面上に載置され、該床面に対し固定手段によって固定された便器の床固定構造において、該固定手段は、該床面に沿って移動可能なフック部材と、該台座部に設けられたフック係合部と、該フック係合部に係合した該フック部材の退動を阻止する退動阻止手段とを有することを特徴とするものである。
【０００９】
本発明（請求項４）の便器固定装置は、かかる固定構造を構成しうるものであり、便器の台座部に設けられたフック係合部に対し係合するフック部材と、該床面に取り付けられ、該フック部材のフック係合部への接近移動を案内する案内部材と、該フック部材が該案内部材に沿って該フック係合部から離反することを阻止するための退動阻止手段と、該フック部材に連なっており、引張力が加えられることにより該フック部材を該案内部材に沿って移動させてフック係合部に係合させ、且つ所定以上の引張力が加えられると断裂するか又は該フック部材から分離する引張部材とを備えてなるものである。
【００１０】
この便器固定装置によって便器を床面に固定するには、まず案内部材を床面にビス等によって固定する。この案内部材には、予めフック部材が装着されているか、又は案内部材の床面への固定後にフック部材を案内部材に装着する。このフック部材には引張部材の基端側が連なっている。
【００１１】
次に、便器を床面上に載置する。この際、引張部材の先端側が台座部と床面との間を通って便器外方に延出するようにしておく。便器の後部側などの適所をビス等の固定具によって床面に固定した後、引張部材の先端側を掴んで引張る。これにより、フック部材が案内部材に沿って移動し、フック係合部に係合する。その後、なおも強く引張部材を引張ると、引張部材が断裂するか又はフック部材から分離し、除去される。なお、断裂箇所が便器内部（台座部内部）となるように、予め引張部材に切れ目やミシン目、細幅部等を設けておくのが好ましい。
【００１２】
このようにフック部材がフック係合部に係合した後は、退動阻止手段がフック部材の退動を阻止するため、フック部材はフック係合部に係合したままとなる。
【００１３】
このように、この便器の床固定構造及び固定装置によると、便器に寸法誤差があってもフック部材をフック係合部に確実に係合するまで移動させることができ、便器を床面に確実に固定することができる。
【００１４】
上記の引張部材としては、台座部と床面との隙間を通り易いシート片が好適である。
【００１５】
本発明（請求項６）の便器の床固定構造は、台座部を有する便器が床面上に載置され、該床面に対し固定手段によって固定された便器の床固定構造において、該固定手段は、該台座部に設けられたフック係合部と、該床面に対し回動可能に取り付けられ、該フック係合部に対し係合したフック部材とを備えてなり、該フック部材は磁性材料よりなり、台座部の外側から加えられた磁力によって該フック係合部に係合するように回動可能であることを特徴とするものである。
【００１６】
かかる便器の床固定構造においても、フック部材がフック係合部に確実に係合するように回動させることができるので、便器を床面に確実に固定することができる。
【００１７】
本発明（請求項７）の便器の床固定構造は、台座部を有する便器が床面上に載置され、該床面に対し固定手段によって固定された便器の床固定構造において、該固定手段は、該台座部に設けられたフック係合部と、該フック係合部に係合したフック部材と、先端側が該フック部材に接続され、後端側が巻取手段に巻き取られた線状体と、該床面に固定されており、該線状体の途中部分が挿通された線状体挿通部材とを備えてなることを特徴とするものである。
【００１８】
この便器の床固定構造にあっては、例えば、線状体挿通部材を床面に固定し、この線状体挿通部材に線状体を挿通する。次いで、フック部材をフック係合部に係合させて便器を床面に載置し、その後巻取手段で線状体を巻き取る。これにより、フック部材が線状体によって下方に引張られ、フック係合部を介して便器台座部が強く下方に押圧され、便器が床面に固定される。
【００１９】
この巻取手段としてウィンチを便器後方に配置したときには、線状体の巻取り作業が容易となる。
【００２０】
巻取手段は、便器の後部を床面に固定するためのビスであり、該ビスに線状体の後端側が巻き付けられている構成としてもよい。このようにすれば、巻取手段が外部に露見せず、見栄えが良好となる。また、ビスによる便器固定作業によって併せてフック部材による便器固定が行われることになる。
【発明の効果】
【００２１】
本発明によると、便器を確実に床面に固定することができる便器の床固定構造及び固定装置が提供される。
【発明を実施するための最良の形態】
【００２２】
以下、図面を参照して本発明の実施の形態について説明する。
【００２３】
第１図は本発明の実施の形態に係る便器固定装置により構成された便器の床固定構造を示す洋風便器の側面図（ただし、洋風便器台座部の前半側は縦断面にて図示。）、第２図はこの便器固定装置の分解斜視図、第３図（ａ），（ｂ）はそれぞれ第２図のＡ−Ａ線及びＢ−Ｂ線に沿う断面図、第３図（ｃ），（ｄ）はそれぞれ第３図（ａ）のＣ−Ｃ線及び第３図（ｂ）のＤ−Ｄ線に沿う断面図、第４図は便器固定装置の斜視図、第５図は第４図のＶ−Ｖ線に沿う断面図である。また、第６図及び第７図は、それぞれ、この便器固定装置による便器固定前及び固定後における洋風便器前部の縦断面図である。
【００２４】
この実施の形態では、洋風便器１がトイレルームの床面Ｆ上に固定設置されている。この洋風便器１は陶器（焼き物）製のものである。第１図に示すように、この洋風便器１は、床面Ｆ上に載置された台座部２と、その前部に設けられた鉢部４と、その後部上面に設けられたロータンク（図示略）の載置部６とを有している。符号８は、該鉢部４の上部内周面に設けられたリム通水路を示している。該台座部２は、外周壁１０によって外殻が構成された無底中空状体であり、その内部には、鉢部４に連なるトラップ部（図示略）等の排水設備などが配置されている。
【００２５】
台座部２の後部には、該外周壁１０の下辺部から床面Ｆに沿うように後方に向って延出した略水平な足片部１２が形成されている。この足片部１２には、台座部２固定用のビス１４を挿通するための孔（図示略）が該足片部１２を上下方向に貫通するように設けられている。台座部２の後部にあっては、この孔を通して床面Ｆにビス１４が螺じ込まれることにより、足片部１２が床面Ｆに固定されている。該ビス１４の頭部には化粧キャップ１４ａが装着されている。
【００２６】
台座部２の前部は、便器固定装置１６によって床面Ｆに固定されている。この固定装置１６は、該台座部２の前部に設けられた後述のフック係合部材２６に係合するフック部材１８と、該フック部材１８のフック係合部材２６への接近移動を案内するレール状の案内部材２０と、該フック部材１８のフック係合部材２６からの退動（離反移動）を阻止する退動阻止機構２２（第５図）と、該フック部材１８をフック係合部材２６に接近させるように引張るための引張部材２４とを備えている。
【００２７】
なお、この実施の形態では、台座部２の前部において、外周壁１０の裏側（台座部２の内部側）には、該外周壁１０との間に間隔をおいて略上下方向に延在する上下方向壁１０ａが形成されている。この上下方向壁１０ａは、第１図に示すように、上端部が鉢部４の底面と連続しており、下端部が外周壁１０の下辺部付近と連続している。この上下方向壁１０ａに、前記フック部材１８が係合するフック係合部材２６が取り付けられている。
【００２８】
該フック係合部材２６は、上下方向壁１０ａの内向き面（台座部２の内部側を向く面）に沿って配置された基片２６ａと、該基片２６ａから台座部２の内部側に向って突設された突片２６ｂとからなる。該基片２６ａは反転ボルト２８によって上下方向壁１０ａに固着されている。第４図の符号２６ｃは、該基片２６ａに設けられた反転ボルト２８挿通用の孔を示している。この実施の形態では、該突片２６ｂの上面は、台座部２の内部側に向って下り勾配となる傾斜面となっている。
【００２９】
前記案内部材２０は、台座部２の内部において床面Ｆに沿って前後方向に延在し、且つその前端側が該フック係合部材２６の下方に位置するように配置され、ビス３０等によって該床面Ｆに固定されている。第２図の符号２０ａは、該案内部材２０の前端側に設けられたビス３０挿通用の孔を示している。
【００３０】
フック部材１８は、第３図（ａ），（ｃ）に示すように、該案内部材２０の上側に配置された本体部３２と、該本体部３２の前部から前方に突設された押え片３４と、該本体部３２の左右両側部からそれぞれ案内部材２０の左右の側面に沿うように下方に垂設された脚状部３６，３６と、該脚状部３６，３６同士の対向面からそれぞれ内向きに突設された、前後方向に延在する凸条３８，３８と、該脚状部３６，３６の下辺部からそれぞれ床面Ｆに沿うように外向きに張り出した足状片４０，４０と、該案内部材２０の上面に形成された後述の鋸歯状部４８に噛合するように該本体部３２の下面側に配置された噛合体４２と、該噛合体４２を下方に向って弾性的に付勢するバネ４４とを備えている。
【００３１】
該押え片３４の下面は、フック係合部材２６の突片２６ｂの上面に略平行に対面するように傾斜しており、本体部３２がフック係合部材２６に接近移動したときには、該押え片３４はこの突片２６ｂの上面に乗り上げるようにして該突片２６ｂと係合し、該突片２６ｂを下方に押圧する。
【００３２】
案内部材２０の長手方向の中途部から前端側の左右の側面には、それぞれ、該凸条３８，３８が摺動可能に係合する凹条４６，４６が前後方向に延設されている。また、案内部材２０の該中途部には、この凹条４６，４６にそれぞれ凸条３８，３８を出し入れするための出し入れ部４６ａ，４６ａが設けられている。この出し入れ部４６ａ，４６ａは、案内部材２０の該中途部において、該案内部材２０の上面の左右両側縁部をそれぞれ該凹条４６，４６に至るまで下方に切り欠くようにして形成されている。
【００３３】
フック部材１８を案内部材２０に装着するに際しては、該案内部材２０の上方から該出し入れ部４６ａ，４６ａ内にそれぞれ凸条３８，３８を入り込ませるようにして脚状部３６，３６をそれぞれ案内部材２０の左右の側面に沿わせ、次いで、フック部材１８を案内部材２０に沿って前方に移動させて該凸条３８，３８をそれぞれ凹条４６，４６に係合させる。
【００３４】
該案内部材２０の上面には、前後方向に連続した鋸歯状部４８が形成されており、この鋸歯状部４８に前記噛合体４２が弾性的に噛合している。この実施の形態では、これらの鋸歯状部４８と噛合体４２とにより、フック部材１８のフック係合部材２６への接近移動を許容し、且つ該フック部材１８のフック係合部材２６からの退動を阻止する前記退動阻止機構２２が構成されている。
【００３５】
該噛合体４２は、本体部３２の下面に形成された凹所よりなる噛合体収容部３２ａ内に上下方向移動可能に収容されている。この噛合体収容部３２ａ内において、該噛合体３２の上部と噛合体収容部３２ａの天井面との間にバネ４４が蓄力状態にて配置されており、該噛合体４２は、このバネ４４によって下方に付勢されることにより、弾性的に鋸歯状部４８に噛合している。
【００３６】
各鋸歯状部４８は、前方に向って上り勾配となっている傾斜面と、該傾斜面の前端（各鋸歯状部４８の頂点）から下方に向って略鉛直に延在した略鉛直面とを有している。フック部材１８が案内部材２０に沿って前方移動（フック係合部材２６に対し接近移動）する際には、噛合体４２が該傾斜面によって上方に押し上げられて該フック部材１８の前方移動を許容するようになり、フック部材１８が案内部材２０に沿って後方移動（フック係合部材２６から退動）しようとした場合には、噛合体４２が該略鉛直面に前方から当接して該フック部材１８の後方移動を阻止する。
【００３７】
このフック部材１８をフック係合部材２６に接近させるように引張るための引張部材２４は、この実施の形態では、厚みのごく小さいシート片よりなる。この引張部材２４は、第２図及び第４図に示すように、便器設置作業者が掴む基片部２４ａと、該基片部２４ａの後辺の左右両端側から後方に延出した細幅の索状部２４ｂ，２４ｂとを有している。この索状部２４ｂ，２４ｂは、第４図に示すように、それぞれ案内部材２０の左右両サイドを通って後方に引き回され、該案内部材２０に装着されたフック部材１８の足状片４０，４０に各々の先端部が接続されている。
【００３８】
各索状部２４ｂ，２４ｂは、案内部材２０に装着されたフック部材１８が該案内部材２０に対し後退限（出し入れ部４６ａ）付近に位置している状態において台座部２がこの案内部材２０に被さるように床面Ｆ上に載置されたときに、基片部２４ａが台座部２の底面（外周壁１０の下辺）と床面Ｆとの間を通って該台座部２の外部に延出することを許容する長さとなっている。
【００３９】
なお、各索状部２４ｂの該先端付近には、該索状部２４ｂに所定以上の引張力が加えられたときに断裂して該索状部２４ｂと足状片４０とを分離させる断裂予定部（図示略）が設けられている。図示はしないが、この断裂予定部は、索状部２４ｂに切れ目やミシン目、細幅部等を設けることにより形成されている。また、この断裂予定部は、引張部材２４によってフック部材１８が前方に引張られてフック係合部材２６への係合を完了した状態において、台座部２の内部に位置するように配置されている。
【００４０】
ただし、本発明においては、各索状部２４ｂにこのような断裂予定部を設ける代りに、各索状部２４ｂに所定以上の引張力が加えられたときに、各索状部２４ｂの先端が前記足状片４０から離脱して両者が分離するように構成してもよい。
【００４１】
このように構成された固定装置１６を用いて洋風便器１を床面Ｆに固定設置するに当っては、まず、フック係合部材２６を台座部２の前部の上下方向壁１０ａに反転ボルト２８によって固定すると共に、固定装置１６の案内部材２０を床面Ｆにビス３０等によって固定する。そして、この案内部材２０に対し、前述のようにしてフック部材１８を装着する。ただし、案内部材２０を床面Ｆに固定するのに先立ち、予めフック部材１８を案内部材２０に装着しておいてもよい。該フック部材１８は、案内部材２０に対し後退限（出し入れ部４６ａ）付近に位置するよう配置される。
【００４２】
また、床面Ｆのうち、台座部２を該床面Ｆに載置したときに足片部１２のビス１４挿通用の孔と重なる位置には、該ビス１４を螺じ込むための下穴（図示略）を穿設する。
【００４３】
このようにした後、足片部１２のビス１４挿通用の孔とこの下穴とが重なるように台座部２を床面Ｆ上に載置する。この際、台座部２の前部においては、第６図に示すように、引張部材２４の基片部２４ａが台座部２の底面と床面Ｆとの間を通って該台座部２の外部に延出するようにしておく。それから、足片部１２のビス１４挿通用の孔を通して床面Ｆの前記下穴にビス１４を螺じ込み、該足片部１２を床面Ｆに固定する。そして、このビス１４の頭部に化粧キャップ１４ａを装着する。
【００４４】
その後、該基片部２４ａを掴んで前方に引張る。これにより、第７図に示すように、フック部材１８が案内部材２０に沿ってフック係合部材２６に対し接近移動し、押え片３４が突片２６ｂの上面に重なるようにして係合する。その後、なおも強く引張部材２４を引張って該引張部材２４の各索状部２４ｂを断裂予定部において断裂させ、フック部材１８から引張部材２４を分離除去する。
【００４５】
なお、このようにフック部材１８がフック係合部材２６に係合した後は、退動阻止機構２２によってフック部材１８のフック係合部材２６からの退動が阻止されるので、フック部材１８はフック係合部材２６に係合したままとなる。
【００４６】
このように、この固定装置１６によって構成された便器の床固定構造にあっては、フック部材１８が床面Ｆに沿ってフック係合部材２６に対し接近移動して該フック係合部材２６と係合するので、例えば台座部２に寸法誤差があった場合でも、該フック部材１８の移動によってこの誤差が吸収され、フック部材１８とフック係合部材２６とが確実に係合するようになる。これにより、洋風便器１（台座部２）を確実に床面Ｆに固定することができる。
【００４７】
この実施の形態では、台座部２の前部を固定した後の固定装置１６は、全体が該台座部２内に配置されているため、台座部２の外部に金具等が露見せず、見栄えが良好である。
【００４８】
なお、この実施の形態では台座部２の後部はビス１４によって床面Ｆに固定されているが、台座部２の後部も、台座部２の前部と同様に、固定装置１６によって床面Ｆに固定するよう構成してもよい。
【００４９】
第８図は本発明の別の実施の形態に係る便器の床固定構造を示す洋風便器台座部の前部付近の縦断面図であり、第９図はこの便器の床固定構造のフック部材の斜視図である。
【００５０】
この実施の形態では、洋風便器の台座部２の前部において外周壁１０の裏側に形成された上下方向壁１０ａにフック係合部として開口５０が設けられており、床面Ｆに対し前後方向に回動可能に設けられたフック部１８Ａの押え片５４が台座部２の内部側から該開口５０に係合することにより、該台座部２の前部が床面Ｆに固定されている。
【００５１】
このフック部１８Ａは、下部を回動中心として前後方向に回動可能な本体部５２と、該本体部５２の上部から前方に突設されており、該本体部５２が前方に回動したときに前記開口５０に入り込んで該開口５０の下縁部を下方に押圧する押え片５４と、該本体部５２の下部を前後方向に回動可能に保持したベース部５６とを備えている。該本体部５２は、磁性材料よりなる。（この実施の形態では、該押え片５４が磁石のＮ極となる如く磁力を帯びている。）
【００５２】
該ベース部５６は、床面Ｆに沿って配置される基片部５６ａと、該基片部５６ａから本体部５２の左右の側面にそれぞれ沿うように上方に立設された起立部５６ｂ，５６ｂと、該起立部５６ｂ，５６ｂ同士の間に架設されており、本体部５２の下部を前後方向に回動可能に枢支した回動軸５６ｃと、該本体部５２の後方への回動を規制するストッパ５６ｄとからなる。該基片部５６ａは、ビス５６ｆにより床面Ｆに固定されている。第９図の符号５６ｅは、該基片部５６ａに穿設されたビス５６ｆ挿通用の孔を示している。
【００５３】
この台座部２を備えた洋風便器のその他の構成及びこの台座部２の後部の床面Ｆへの固定構造は、前述の第１〜７図の洋風便器１と同様となっている。
【００５４】
このように構成された便器の床固定構造によって台座部２の前部を床面Ｆに固定するに当っては、まず、フック部材１８Ａのベース部５６をビス５６ｆにより床面Ｆに固定する。この際、第８図において二点鎖線にて示すように、本体部５２を便器後方に傾けておく。次に、台座部２を床面Ｆ上に載置する。そして、台座部２の外側からこのフック部材１８Ａにマグネット５８を近づける。（この実施の形態では、該本体部５２の押え片５４がＮ極に帯極しているので、該マグネット５８のＳ極側をフック部材１８Ａに近づける。）
【００５５】
このようにすると、該本体部５２がこのマグネット５８の磁力（押え片５４（Ｎ極）とマグネット５８（Ｓ極）との吸引力）によって前方に回動し、押え片５４が上下方向壁１０ａの開口５０に係合する。
【００５６】
この便器の床固定構造にあっては、例えば洋風便器の台座部２に寸法誤差があった場合でも、押え片５４が開口５０に係合するまで本体部５２が前方に回動することにより、この誤差が吸収され、押え片５４が確実に開口５０に係合するようになる。これにより、確実に洋風便器の台座部２を床面Ｆに固定することができる。
【００５７】
第１０図は本発明のさらに別の実施の形態に係る便器の床固定構造を示す洋風便器台座部の前部付近の縦断面図であり、第１１図はこの便器の床固定構造のフック部材の斜視図である。
【００５８】
この実施の形態では、洋風便器の台座部２の前部において外周壁１０の裏側に形成された上下方向壁１０ａの内向き面（台座部２の内部側を向く面）にフック係合部として凹所６０が設けられており、床面Ｆに対し前後方向に進退可能に設けられたフック部１８Ｂの横木体６４が台座部２の内部側から該凹所６０に係合することにより、該台座部２の前部が床面Ｆに固定されている。該凹所６０内の上下方向壁側面に沿ってマグネット６２が配置されている。該横木体６４は、このマグネット６２に張り付き可能な磁性材料よりなる。
【００５９】
このフック部１８Ｂは、前後方向に進退可能な棒状の横木体６４と、該横木体６４を前後方向に進退可能に保持したベース体６６とを有している。該横木体６４は、前後方向に略水平に延在し、且つ該前後方向に進退（変位）しうるように、ベース体６６の上部に設けられた横木体保持孔６６ａ内に挿通されている。ベース体６６の下部には、該ベース体６６の左右の側面からそれぞれ床面Ｆに沿うように側方に略水平に張り出した足状片６６ｂ，６６ｂが設けられており、ベース体６６は、各足状片６６ｂに穿設された孔６６ｃを通して床面Ｆにビス６８が螺じ込まれることにより該床面Ｆに固定されている。
【００６０】
この台座部２を備えた洋風便器のその他の構成及びこの台座部２の後部の床面Ｆへの固定構造は、前述の第１〜７図の洋風便器１と同様となっている。
【００６１】
このように構成された便器の床固定構造によって台座部２の前部を床面Ｆに固定するに当っては、まず、フック部材１８Ｂのベース体６６をビス６８により床面Ｆに固定する。この際、第１０図において二点鎖線にて示すように、横木体６４を便器後方に退動させておく。次に、台座部２を床面Ｆ上に載置する。
【００６２】
このようにすると、該横木体６４がマグネット６２の磁力によって前進して凹所６０内に係合する。凹所６０内に係合した横木体６４は、先端がマグネット６２に張り付いて該凹所６０内に係合したままとなる。
【００６３】
この便器の床固定構造にあっては、例えば洋風便器の台座部２に寸法誤差があった場合でも、横木体６４がマグネット６２に張り付くまで前進することによりこの誤差が吸収されるため、横木体６４が確実に凹所６０内に係合するようになる。これにより、確実に洋風便器の台座部２を床面Ｆに固定することができる。
【００６４】
第１２図は本発明の異なる実施の形態に係る便器の床固定構造を示す洋風便器の側面図（ただし、洋風便器台座部の前半側及び後部付近は縦断面にて図示。）であり、第１３図はこの便器の床固定構造を示す斜視図である。
【００６５】
この実施の形態では、洋風便器１の台座部２の前部において外周壁１０の裏側に形成された上下方向壁１０ａにフック係合部として開口７０が設けられており、この開口７０の下縁部に鉤状のフック（フック部材）７２が掛けられている。
【００６６】
このフック７２の後端にワイヤ（線状体）７４の先端が接続されている。このワイヤ７４の後端は、線状体巻取手段としてのウィンチ７６に巻き取られている。このウィンチ７６は、第１２図に示すように、台座部２の後方において床面Ｆ上に設置されている。即ち、該ワイヤ７４は、台座部２の前部側から後部側に向って台座部２内を引き回され、次いで該台座部２の後部に設けられたワイヤ引出口１０ｂを通して該台座部２の後方に引き出された後、ウィンチ７６に巻き取られている。
【００６７】
該ワイヤ７４の途中部分は、台座部２の内部において床面Ｆ上に設置されたワイヤ挿通部材７８に挿通されている。このワイヤ挿通部材７８は、上下方向壁１０ａの開口７０に掛けられたフック部材７２の下方に位置するように配置されている。
【００６８】
ウィンチ７６は、床面Ｆに沿って配置され、ビス８０によって固定されたベースプレート７６ａと、該ベースプレート７６ａ上に配置されたワイヤ巻取リール７６ｂと、該ワイヤ巻取リール７６ｂを回転駆動する駆動装置（図示略）とを備えている。この駆動装置は、電動式であってもよく、手動式であってもよい。ただし、この駆動装置を省略し、レンチ（図示略）等の工具を用いて直接的に該ワイヤ巻取リール７６ｂを回転させてワイヤ７４を巻き取るようにしてもよい。第１３図の符号７６ｃは、ベースプレート７６ａに設けられたビス８０挿通用の孔を示している。
【００６９】
ワイヤ挿通部材７８は、床面Ｆに沿って配置され、ビス８２によって該床面Ｆに固定されたベースプレート７８ａと、該ベースプレート７８ａ上に設けられたバー７８ｂとからなる。該バー７８ｂは、略門形（下向きコ字形）に延在したものであり、その両端が該ベースプレート７８ａに固着されている。第１３図の符号７８ｃは、該ベースプレート７８ａに穿設されたビス挿通用の孔を示している。ワイヤ７４は、このバー７８ｂの下側をくぐって台座部２の後部側に引き回されている。
【００７０】
この台座部２を備えた洋風便器のその他の構成及びこの台座部２の後部の床面Ｆへの固定構造は、前述の第１〜７図の洋風便器１と同様となっている。
【００７１】
このように構成された便器の床固定構造によって台座部２の前部を床面Ｆに固定するに当っては、まず、予めウィンチ７６とワイヤ挿通部材７８とを床面Ｆに取り付けておき、該ウィンチ７６からワイヤ７４を引き出して台座部２の後部のワイヤ引出口１０ｂに引き通し、次いでワイヤ挿通部材７８のバー７８ｂの下側をくぐらせる。そして、このワイヤ７４の先端に取り付けられたフック７２を台座部２の前部の開口７０の下縁部に引掛ける。
【００７２】
次に、台座部２を床面Ｆに載置し、前述の第１〜７図の実施の形態と同様に、ビス１４によって該台座部２の後部の足片部１２を床面Ｆに固定する。
【００７３】
その後、ウィンチ７６によってワイヤ７４を巻き取る。こうすることにより、フック７２が下方に引張られて台座部２の前部を下方に付勢するようになり、台座部２の前部が床面Ｆに固定される。
【００７４】
この便器の床固定構造にあっては、例えば台座部２に寸法誤差があった場合でも、ウィンチ７６によるワイヤ７４の巻き取りによりこの誤差が吸収されるため、確実に台座部２を床面Ｆに固定することができる。
【００７５】
この実施の形態では、ワイヤ７４の巻取手段としてウィンチ７６を採用しているが、ワイヤ７４の巻取手段はこれに限られるものではない。例えば、第１４図の実施の形態の如く、台座部２の後部の足片部１２を床面Ｆに固定するためのビス１４にワイヤ７４の後端を巻き付けておき、このビス１４が床面Ｆに螺着されるのに伴ってワイヤ７４が該ビス１４によって巻き取られるよう構成してもよい。
【００７６】
なお、第１４図の符号８４は、このビス１４の螺着に伴ってワイヤ７４に過度に張力が加えられることを防止するための張力緩和機構を示している。この張力緩和機構としては、例えば、図示はしないが、ワイヤ７４の途中部分にコイルスプリングを介在させ、ビス１４によってワイヤ７４が所定長さ以上巻き取られたときに該コイルスプリングが伸長してワイヤ７４に過度に張力が加えられることが防止されるよう構成したものなどが挙げられる。
【００７７】
この第１４図の便器の床固定構造のその他の構成は第１２，１３図の便器の床固定構造と同様となっている。
【００７８】
このように構成された第１４図の便器の床固定構造にあっては、ワイヤ７４の巻取手段が外部に露見せず、見栄えが良好となる。また、ビス１４により台座部２の後部（足片部１２）を固定する作業を行うことにより、併せてフック７２による台座部２の前部の固定が行われることになるため、作業効率が極めて高い。
【００７９】
上記の各実施の形態はいずれも本発明の一例を示すものであり、本発明は上記の実施の形態に限定されるものではない。
【００８０】
例えば、上記の各実施の形態では便器として洋風便器を採用しているが、他の形態の便器であってもよい。
【図面の簡単な説明】
【００８１】
【図１】実施の形態に係る便器固定装置により構成された便器の床固定構造を示す洋風便器の側面図である。
【図２】図１の便器の床固定構造を構成する便器固定装置の分解斜視図である。
【図３】図２の便器固定装置の断面図である。
【図４】図２の便器固定装置の斜視図である。
【図５】図４のＶ−Ｖ線に沿う断面図である。
【図６】図２の便器固定装置による便器固定前の洋風便器前部の縦断面図である。
【図７】図２の便器固定装置による便器固定後の洋風便器前部の縦断面図である。
【図８】別の実施の形態に係る便器の床固定構造を示す洋風便器台座部の前部付近の縦断面図である。
【図９】図８の便器の床固定構造のフック部材の斜視図である。
【図１０】さらに別の実施の形態に係る便器の床固定構造を示す洋風便器台座部の前部付近の縦断面図である。
【図１１】図１０の便器の床固定構造のフック部材の斜視図である。
【図１２】異なる実施の形態に係る便器の床固定構造を示す洋風便器の側面図である。
【図１３】図１２の便器の床固定構造を示す斜視図である。
【図１４】さらに異なる実施の形態に係る便器の床固定構造を示す洋風便器の側面図である。
【符号の説明】
【００８２】
１  洋風便器
２  台座部
１０  外周壁
１２  足片部
１４  ビス
１６  固定装置
１８，１８Ａ，１８Ｂ  フック部材
２０  案内部材
２２  退動阻止機構
２４  引張部材
２６  フック係合部材
２６ｂ  突片
３２  本体部
３４  押え片
４２  噛合体
４８  鋸歯状部
５０  開口（フック係合部）
５２  本体部
５４  押え片
５６  ベース部
５８  マグネット
６０  凹所（フック係合部）
６２  マグネット
６４  横木体
６６  ベース体
７０  開口（フック係合部）
７２  フック（フック部材）
７４  ワイヤ
７６  ウィンチ
７８  ワイヤ挿通部材
７８ｂ  バー
８４  張力緩和機構
【図１】
2005036561.tif 000003
【図２】
2005036561.tif 000004
【図３】
2005036561.tif 000005
【図４】
2005036561.tif 000006
【図５】
2005036561.tif 000007
【図６】
2005036561.tif 000008
【図７】
2005036561.tif 000009
【図８】
2005036561.tif 000010
【図９】
2005036561.tif 000011
【図１０】
2005036561.tif 000012
【図１１】
2005036561.tif 000013
【図１２】
2005036561.tif 000014
【図１３】
2005036561.tif 000015
【図１４】
2005036561.tif 000016